(57)【要約】【課題】群管理エレベータのリニューアル工事に際して初期的にエレベータ管理装置を撤去した場合でも利用者による乗りかごの呼び登録を可能にして有効にエレベータを利用できるエレベータ用呼び登録装置を提供する。【解決手段】この呼び登録装置では、利用者が携帯する情報端末８の表示部の表示画面上に群管理エレベータの各系統のエレベータ制御装置４の制御部１６から得られるエレベータの位置（階床位置）データ、進行方向データが通信部１４ａ、１４ｂ経由で情報通信装置６の送信部１８から送信されてエレベータ１の乗りかごの号機が状態表示され、表示画面上で操作入力してかご呼び階のデータを指定すると行先階登録データとして処理された後に装置６へ送信され、装置６の受信部１７から通信部１４ｂ、１４ａを経由してＤＢ１１に格納された後に行先階登録部１５に登録され、制御部１６が登録された行先階へ乗りかごを走行させる制御を行う。【選択図】図４
2017036122.tif 000002
【特許請求の範囲】
【請求項１】
エレベータの機械室に設置される複数台のエレベータ制御装置と１台のエレベータ管理装置とで構成される群管理エレベータに適用されるエレベータ用呼び登録装置において、
前記複数台のエレベータ制御装置にそれぞれ備えられると共に、利用者が携帯する情報端末との間で情報通信を行うための情報通信装置と、前記複数台のエレベータ制御装置にそれぞれ備えられると共に、前記情報端末で操作入力指定された乗りかごのかご呼び階を前記情報通信装置における前記情報通信により取得して行先階として登録する行先階登録部と、を備え、
前記複数台のエレベータ制御装置にそれぞれ備えられた制御部は、前記行先階登録部に登録された前記行先階へ前記乗りかご内の操作盤で行先階釦が押下操作された場合と同様な呼び登録とみなして当該乗りかごを走行させる制御を行うことを特徴とするエレベータ用呼び登録装置。
【請求項２】
請求項１記載のエレベータ用呼び登録装置において、
前記情報端末は、表示部の表示画面上に前記群管理エレベータの前記複数台のエレベータ制御装置における前記情報通信装置から前記情報通信で受信した前記乗りかごの各号機に係る建物に設備された昇降路における階床位置及び進行方向と工事中である場合のメッセージとを表示可能であり、
前記群管理エレベータのリニューアル工事時には、前記エレベータ管理装置を使用して乗場階での乗場釦の押下操作で前記乗りかごをかご呼びせず、初期時に当該エレベータ管理装置を前記機械室から撤去した上で前記情報端末が備える前記表示部の前記表示画面上で操作入力しての前記情報通信装置を介して前記複数台のエレベータ制御装置に対応する当該乗りかごを選択しての前記かご呼び階の指定により前記行先階の登録を行わせることを特徴とするエレベータ用呼び登録装置。
【発明の詳細な説明】
【技術分野】
【０００１】
本発明は、リニューアル（改修）工事中のエレベータで利用者が携帯する情報端末から乗りかごの呼び登録を行う機能を持つエレベータ用呼び登録装置に関する。
【背景技術】
【０００２】
従来、この種のエレベータ用呼び登録装置に関連する周知技術として、遠隔でエレベータ呼びでき、セキュリティを強化し、設定内容の再確認を容易にする手段を備えた「エレベータ遠隔呼び出しシステム」（特許文献１参照）の他、遠隔呼び登録において、乗客到着時に丁度エレベータも到着してそれぞれの待時間を少なくするため乗客がホールに来たとき、呼びが自動的に登録されるようにした「エレベータの呼び登録装置」（特許文献２参照）が挙げられる。
【先行技術文献】
【特許文献】
【０００３】
【特許文献１】特開２００３−３１２９４９号公報
【特許文献２】特開昭６１−２３５３７５号公報（特公平７−１２８８７号公報）
【発明の概要】
【発明が解決しようとする課題】
【０００４】
上述した特許文献１記載の技術は、利用者からのメールによりエレベータの遠隔呼び出し指令を通信回線経由で遠隔呼びサーバが受けると、メール受送信処理装置を介してエレベータ制御装置へ伝達し、エレベータ制御装置が指定階に乗りかごを移動して到着した時点で到着したことをメール受送信処理装置を介して遠隔呼びサーバへ伝達し、遠隔呼びサーバが通信回線経由で利用者にメールで通知する機能を持たせたものであり、特許文献２記載の技術は、行先階の情報を登録した発信装置からの発信信号をホール付近に設置された受信装置が受信すると行先呼び登録を行うことでエレベータの操作機能を有する操作盤に受信された情報が届き、この操作盤によりエレベータを操作する機能を持たせたものであるが、こうした技術は何れの場合もエレベータの機械室に設置される複数台のエレベータ制御装置と１台のエレベータ管理装置とで構成される群管理エレベータを対象にしたリニューアル工事での利用者による乗りかごの呼び登録には適用し難いという問題がある。
【０００５】
その理由は、群管理エレベータでは、機械室の１台のエレベータ管理装置で各系統のエレベータ制御装置に対応する乗場呼びを管理しており、リニューアル工事では全てのエレベータの撤去が完了するまで機械室にエレベータ管理装置を残す必要があることによるが、こうした事情があったとしてもリニューアル前の機器が機械室に残っていると、リニューアル後の新設機器を搬入、設置するスペースを確保することが困難になるという不具合が回避されないため、リニューアル工事に際して初期的にエレベータ管理装置を撤去した場合でも利用者による乗りかごの呼び登録を可能にして有効にエレベータを利用できる技術が望まれている。
【０００６】
本発明は、このような問題点を解決すべくなされたもので、その技術的課題は、群管理エレベータのリニューアル工事に際して初期的にエレベータ管理装置を撤去した場合でも利用者による乗りかごの呼び登録を可能にして有効にエレベータを利用できるエレベータ用呼び登録装置を提供することにある。
【課題を解決するための手段】
【０００７】
上記技術的課題を解決するため、本発明の第１の手段は、エレベータの機械室に設置される複数台のエレベータ制御装置と１台のエレベータ管理装置とで構成される群管理エレベータに適用されるエレベータ用呼び登録装置において、複数台のエレベータ制御装置にそれぞれ備えられると共に、利用者が携帯する情報端末との間で情報通信を行うための情報通信装置と、複数台のエレベータ制御装置にそれぞれ備えられると共に、情報端末で操作入力指定された乗りかごのかご呼び階を情報通信装置における情報通信により取得して行先階として登録する行先階登録部と、を備え、複数台のエレベータ制御装置にそれぞれ備えられた制御部は、行先階登録部に登録された行先階へ乗りかご内の操作盤で行先階釦が押下操作された場合と同様な呼び登録とみなして当該乗りかごを走行させる制御を行うことを特徴とする。
【発明の効果】
【０００８】
本発明によれば、上記構成により、群管理エレベータのリニューアル工事に際して初期的にエレベータ管理装置を撤去した場合でも利用者による乗りかごの呼び登録を可能にして有効にエレベータを利用できるようになる。上記した以外の課題、構成及び効果は、以下の実施の形態の説明により明らかにされる。
【図面の簡単な説明】
【０００９】
【図１】本発明の実施例に係るエレベータ用呼び登録装置が適用される群管理エレベータの機械室内の構成を示したブロック図である。
【図２】図１に示す群管理エレベータの乗場階側におけるエレベータ用呼び登録装置の要部となる情報端末を含む外観構成を示した概略図である。
【図３】図２に示す情報端末の表示部の表示画面上に表示されたリニューアル工事時の３系統のエレベータの乗りかごの各号機の状態を例示した図である。
【図４】図１に示す群管理エレベータに適用される１系統分のエレベータに対応する実施例に係るエレベータ用呼び登録装置の基本構成を信号処理の流れを含めて示した機能ブロック図である。
【発明を実施するための形態】
【００１０】
以下に、本発明のエレベータ用呼び登録装置について、実施例を挙げ、図面を参照して詳細に説明する。
【実施例】
【００１１】
図１は、本発明の実施例に係るエレベータ用呼び登録装置が適用される群管理エレベータの機械室２内の構成を示したブロック図である。
【００１２】
図１を参照すれば、この群管理エレベータの機械室２内には、３系統のエレベータに係る図示されない乗りかごの各号機を建物に設備された図示されない昇降路における階床間で昇降させる巻き上げ機３と、各号機の乗りかごの走行を制御する３系統のエレベータ制御装置４と、乗りかごの各号機の全てについての階床の乗場呼びを管理する１台のエレベータ管理装置５と、が備えられ、各エレベータ制御装置４には後述する利用者が携帯する情報端末８との間で情報通信を行うための情報通信装置６がそれぞれ具備されて構成されている。
【００１３】
図２は、上述した群管理エレベータの乗場階側におけるエレベータ用呼び登録装置の要部となる情報端末８を含む外観構成を示した概略図である。
【００１４】
図２を参照すれば、３系統のエレベータ１に係る或る階床での乗場には、エレベータ１の外ドアの間に乗場階での利用者の押下操作により乗りかごのかご呼び登録を行う乗場釦７が設けられている他、利用者が携帯する情報端末８と同等な機能を持つ別体の情報端末８が乗場釦７付近の上方箇所にそれぞれ設置されている様子を示している。尚、図２中に示す情報端末８は、後文で詳述するように情報端末８の表示部の表示画面上で操作入力して情報通信装置６を介してエレベータ制御装置４に対応する乗りかごの号機を選択してのかご呼び階の指定により行先階の登録を行わせるもので、仮に利用者が情報端末８を携帯し忘れてしまった場合にも乗場釦７付近の上方箇所に設置された情報端末８を使用すれば、同様に乗りかごの号機を選択してのかご呼び階の指定により行先階の登録を行わせ得るようにした構成を示している。
【００１５】
図３は、情報端末８の表示部の表示画面上に表示されたリニューアル工事時の３系統のエレベータ１の乗りかごの各号機の状態を例示した図である。
【００１６】
図３を参照すれば、情報端末８の表示部の表示画面上には、群管理エレベータの各エレベータ１に対応するエレベータ制御装置４における情報通信装置６から情報通信により受信される乗りかごの各号機（１号機〜３号機）に係る建物に設備された昇降路における階床位置（エレベータ位置）１、２、…、Ｎ−１、Ｎ及び進行方向９と工事中である場合のメッセージとが表示される様子を示している。そこで、利用者は表示画面上の乗りかごの各号機（１号機〜３号機）の階床位置１、２、…、Ｎ−１、Ｎ及び進行方向９を見ながら工事中の３号機の乗りかごを除いて自らが乗り込む乗りかごの号機（例えば２号機）を選択し、現在自らが居る階の階床釦１０（例えばＮ階）をタッチすることで、乗りかごの選択号機（２号機）についてのエレベータ制御装置４に対するかご呼び登録を情報通信装置６を介して行わせる。この情報端末８の表示画面上での乗りかごの号機を選択してのかご呼び階の指定により選択号機に係るエレベータ制御装置４での行先階の登録を行わせることができる。
【００１７】
図４は、上述した群管理エレベータに適用される１系統分のエレベータ１に対応する実施例に係るエレベータ用呼び登録装置の基本構成を信号処理の流れを含めて示した機能ブロック図である。
【００１８】
図４を参照すれば、ここでのエレベータ用呼び登録装置は、上述した情報端末８やエレベータ制御装置４に備えられて情報端末８との間で情報通信を行うための情報通信装置６を含む他、エレベータ制御装置４に備えられて情報端末８で操作入力指定された乗りかごのかご呼び階を情報通信装置６における情報通信により取得して行先階として登録する行先階登録部１５を備えた構成を基本とするもので、更に、エレベータ制御装置４に備えられた制御部１６による行先階登録部１５に登録された行先階へ乗りかご内の操作盤で行先階釦が押下操作された場合と同様な呼び登録とみなして乗りかごを走行させる制御を行う機能を含むものとする。勿論、他の系統のエレベータ１についても同様に構成される。
【００１９】
但し、ここでのエレベータ用呼び登録装置は、群管理エレベータのリニューアル工事時にエレベータ管理装置５を使用しての乗場階での乗場釦７を押下操作して乗りかごをかご呼びせず、初期時にエレベータ管理装置５を機械室２から撤去した上で情報端末８が備える表示部の表示画面上で操作入力しての情報通信装置６を介して各エレベータ制御装置４に対応する乗りかごを選択してのかご呼び階の指定により行先階登録部１５での行先階の登録を行わせ、更に、制御部１６による行先階への乗りかごの走行制御を行わせるもので、図４中には係る処理機能を構築するための１系統分のエレベータ１を対象にしたエレベータ制御装置４及び通信処理装置６の細部構成を示している。
【００２０】
図４を参照して具体的に説明すれば、通信処理装置６は、情報端末８の表示部の表示画面上で操作入力指定されたかご呼び階を受信する受信部１７と、エレベータ制御装置４の通信部１４ａと情報通信を行うための通信部１４ｂと、通信部１４ｂから伝送された通信情報（エレベータ位置データ、進行方向データ）を情報端末８へ送信するための送信部１８と、を備えている。また、エレベータ制御装置４は、上述した通信部１４ａと行先階登録部１５及び制御部１６とを備える他、制御部１６から得られるエレベータ１の乗りかごのエレベータ位置（乗りかごの建物に設備された昇降路における階床位置を示す）データを格納するエレベータ位置データベース１２と、制御部１６から得られるエレベータ１の乗りかごの進行方向データを格納する進行方向データベース１３と、通信部１４ａで受信された行先階登録データを格納する行先階登録データベース１１と、を備えている。
【００２１】
係るエレベータ用呼び登録装置の動作処理を説明すれば、利用者が携帯する情報端末８の電源をオンにして利用可能な状態にすると、情報端末８の表示部の表示画面上にはエレベータ制御装置４の制御部１６から得られるエレベータ位置データベース１２に格納されたエレベータ１の乗りかごのエレベータ位置データ、進行方向データベース１３に格納された進行方向データが通信部１４ａ、情報通信装置６の通信部１４ｂを経由して情報通信装置６の送信部１８から送信されるため、図３に示したようなエレベータ１の乗りかごの号機の状態が表示される。
【００２２】
そこで、利用者は情報端末８の表示部の表示画面上で操作入力を行って情報通信装置６を介して情報通信により乗りかごの号機を選択してのかご呼び階を指定すると、かご呼び階のデータは情報端末８で行先階登録データとして処理された後、情報通信装置６へ送信され、受信部１７で受信された後に通信部１４ｂからエレベータ制御装置４の通信部１４ａに引き渡され、エレベータ制御装置４の行先階登録データベース１１に格納された後に行先階登録部１５に登録される。制御部１６は、行先階登録部１５に登録された行先階へ乗りかご内の操作盤で行先階釦が押下操作された場合と同様な呼び登録とみなして乗りかごを走行させる制御を行う。因みに、利用者は、情報端末８の表示部の表示画面上で操作入力してかご呼びした乗場階に乗りかごが到着し、乗りかご内に乗り込んで操作盤で行先階釦を押下操作すると、通常の場合と同様に行先階へ移動することができる。
【００２３】
以上に説明した実施例に係るエレベータ用呼び登録装置によれば、利用者が携帯する情報端末８の表示部の表示画面上に群管理エレベータの各系統のエレベータ制御装置４の制御部１６から得られるエレベータ位置データベース１２に格納されたエレベータ１の乗りかごのエレベータ位置（階床位置）データ、進行方向データベース１３に格納された進行方向データが通信部１４ａ、情報通信装置６の通信部１４ｂを経由して送信部１８から送信されてエレベータ１の乗りかごの各号機の状態が表示されるため、表示画面上で操作入力を行って乗りかごの号機を選択してのかご呼び階のデータを指定すると、情報端末８で行先階登録データとして処理された後に情報通信装置６へ送信され、情報通信装置６の受信部１７から通信部１４ｂ及びエレベータ制御装置４の通信部１４ａを経由してエレベータ制御装置４の行先階登録データベース１１に格納された後に行先階登録部１５に行先階が登録され、制御部１６が登録された行先階へ乗りかごを走行させる制御を行うため、群管理エレベータのリニューアル工事に際して初期的にエレベータ管理装置５を撤去した場合でも利用者による乗りかごの呼び登録を可能にして有効にエレベータを利用できるようになる。即ち、実施例に係るエレベータ用呼び登録装置は、群管理エレベータのリニューアル工事に際して乗りかごの各号機の全てについての階床の乗場呼びを管理するエレベータ管理装置５を初期的に撤去しても、利用者が乗りかごのかご呼びを実行できるために有効にエレベータを利用できる他、新設機器を搬入、設置するスペースが確保されるため、リニューアル工事を効率良く行うことができる。
【００２４】
尚、上述した実施例に係るエレベータ用呼び登録装置は群管理エレベータとして３系統のエレベータ１を対象にして説明したが、２系統や４系統以上の群管理エレベータであっても同等に適用できるため、本発明のエレベータ用呼び登録装置は実施例で説明した形態に限定されない。
【符号の説明】
【００２５】
１  エレベータ
２  機械室
３  巻き上げ機
４  エレベータ制御装置
５  エレベータ管理装置
６  情報通信装置
７  乗場釦
８  情報端末
９  進行方向
１０  階床釦
１１  行先階登録データベース
１２  エレベータ位置データベース
１３  進行方向データベース
１４ａ、１４ｂ  通信部
１５  行先階登録部
１６  制御部
１７  受信部
１８  送信部
【図１】
2017036122.tif 000003
【図２】
2017036122.tif 000004
【図３】
2017036122.tif 000005
【図４】
2017036122.tif 000006